(57)【特許請求の範囲】
【請求項１】
無線セル間干渉除去の方法であって、
ユーザ装置が、第１のリンクを符号化するためにサービング基地局によって使用される第１の識別子にアクセスすることと、
前記ユーザ装置が、第２のリンクを符号化するために干渉基地局によって使用される第２の識別子にアクセスすることと、
前記ユーザ装置が、前記第１および第２のリンクを含む信号を受信することと、前記第１のリンクは前記第２のリンクよりも小さい信号対干渉雑音比及び低い送信レートで受信される、
前記ユーザ装置が、前記第２のリンクを前記第２の識別子で推定すること、前記推定することは、前記第２のリンクを前記第２の識別子で復号し、前記第２のリンクを前記第２の識別子で再符号化することを含む、
前記ユーザ装置が、前記受信信号から前記再符号化された第２のリンクを除去することにより、前記第２のリンクを除去することと、
前記ユーザ装置が、前記再符号化された第２のリンクが除去された前記受信信号からチャネル推定により前記第１のリンクを復号することと、
を含む方法。
【請求項２】
前記推定することは、前記送信された変調シンボルのソフト推定により、前記第２のリンクを推定することを含む、請求項１に記載の方法。
【請求項３】
前記推定することは、前記送信された変調シンボルの反復推定により、前記第２のリンクを推定することを含む、請求項１に記載の方法。
【請求項４】
前記第２のリンクは、前記第１のリンクより高い電力で受信される、請求項１に記載の方法。
【請求項５】
前記第２のリンクを除去することは、前記第２のリンクのパイロット干渉を除去すること、を含む、請求項１に記載の方法。
【請求項６】
前記ユーザ装置が、前記サービング基地局へ受信信号フィードバックを供給することと、
前記ユーザ装置が、前記供給された受信信号フィードバックにより少なくとも一部を制御された電力制御で前記干渉基地局からのパイロットを受信することと、
をさらに含む、請求項１に記載の方法。
【請求項７】
前記パイロットを受信することは、前記干渉基地局からの専用パイロットを受信すること、を含む請求項６に記載の方法。
【請求項８】
前記第２のリンクを除去することは、前記第２のリンクの制御チャネル干渉を除去すること、を含む請求項１に記載の方法。
【請求項９】
前記ユーザ装置が、前記ユーザ装置の媒体アクセス制御（ＭＡＣ）識別子でスクランブルされた前記受信信号中の選択されたユニキャスト制御チャネルを受信することと、
前記ユーザ装置が、前記ＭＡＣ識別子にアクセスすることと、
前記ユーザ装置が、前記ＭＡＣ識別子を使用して前記制御チャネルを除去することと、
をさらに含む、請求項８に記載の方法。
【請求項１０】
前記第２のリンクを除去することは、同じ物理層リソースを占める両方の基地局からの制御チャネルに応じて１つの制御チャネルを除去することを含む、請求項８に記載の方法。
【請求項１１】
前記ユーザ装置が、増加された信号対干渉雑音比のために前記サービング基地局からの物理ダウンリンク制御チャネル（ＰＤＣＣＨ）を、前記干渉基地局からのＰＤＣＣＨよりも低送信レートで受信することをさらに含む、請求項８に記載の方法。
【請求項１２】
前記ユーザ装置が、前記サービング基地局と前記干渉基地局のうちの一方であって、他方の基地局による干渉に関するフィードバックに応答して電力が増加された基地局から、物理ダウンリンク制御チャネル（ＰＤＣＣＨ）を受信することをさらに含む、請求項８に記載の方法。
【請求項１３】
前記第２のリンクを除去することは、前記第２のリンクのトラヒックチャネル干渉を除去すること、を含む請求項１に記載の方法。
【請求項１４】
前記ユーザ装置が、前記ユーザ装置の媒体アクセス制御（ＭＡＣ）識別子でスクランブルされた前記受信信号中の前記干渉基地局からの選択されたユニキャスト制御チャネルを受信することと、
前記ユーザ装置が、前記ＭＡＣ識別子にアクセスすることと、
前記ユーザ装置が、前記トラヒックチャネル干渉を除去する際に前記第２のリンクのトラヒックチャネル割当てを得るために、前記ＭＡＣ識別子を使用して前記制御チャネルを復号することと、
をさらに含む請求項１３に記載の方法。
【請求項１５】
前記ユーザ装置が、前記第１のリンクのチャネル品質を前記サービング基地局に報告することと、
前記ユーザ装置が、前記第２のリンクのチャネル品質と復号されたダウンリンク肯定応答割当てとを前記サービング基地局に報告することと、
前記ユーザ装置が、前記トラヒックチャネル干渉の事前除去なしに復号を可能にする信号対干渉雑音比の増加について調整された送信レートで前記第１のリンクのトラヒックチャネルを受信することと、
をさらに含む、請求項１３に記載の方法。
【請求項１６】
前記ユーザ装置が、前記第１のリンクのチャネル品質を前記サービング基地局に報告することと、
前記ユーザ装置が、前記第２のリンクのチャネル品質と復号されたダウンリンク肯定応答割当てとを前記サービング基地局に報告することと、
前記ユーザ装置が、改善された復号のための前記サービング基地局と前記干渉基地局との間のネゴシエーションに応答して調整された送信レートで、前記第１のリンクの前記トラヒックチャネルと前記第２のリンクの前記トラヒックチャネル干渉とのうちの少なくとも一方を受信することと、
前記ユーザ装置が、前記送信レート調整の後、より高い信号対干渉雑音比を有する前記第１および第２のリンクのうちの選択された一方を最初に復号することと、
をさらに含む、請求項１３に記載の方法。
【請求項１７】
無線セル間干渉除去のためのコンピュータプログラムを記憶するコンピュータ可読記憶媒体であって、前記コンピュータプログラムは、
コンピュータに、第１のリンクを符号化するためにサービング基地局によって使用される第１の識別子にアクセスさせる第１のコードセットと、
前記コンピュータに、第２のリンクを符号化するために干渉基地局によって使用される第２の識別子にアクセスさせる第２のコードセットと、
前記コンピュータに、前記第１および第２のリンクを含む信号を受信させる第３のコードセットと、前記第１のリンクは前記第２のリンクよりも小さい信号対干渉雑音比及び低い送信レートで受信される、
前記第２のリンクを前記第２の識別子で復号し、前記第２のリンクを前記第２の識別子で再符号化し、前記受信信号から前記再符号化された第２のリンクを除去することにより、前記コンピュータに、前記第２のリンクを除去させる第４のコードセットと、
前記コンピュータに、前記再符号化された第２のリンクが除去された前記受信信号からチャネル推定によって前記第１のリンクを復号させる第５のコードセットと、
を備えるコンピュータ可読記憶媒体。
【請求項１８】
無線セル間干渉除去のための装置であって、
第１のリンクを符号化するためにサービング基地局により使用される第１の識別子にアクセスする手段と、
第２のリンクを符号化するために干渉基地局によって使用される第２の識別子にアクセスする手段と、
前記第１および第２のリンクを含む信号を受信する手段と、前記第１のリンクは前記第２のリンクよりも小さい信号対干渉雑音比及び低い送信レートで受信される、
前記第２のリンクを前記第２の識別子で復号し、前記第２のリンクを前記第２の識別子で再符号化し、前記受信信号から前記再符号化された第２のリンクを除去することによって、前記第２のリンクを除去する手段と、
前記再符号化された第２のリンクが除去された前記受信信号からチャネル推定によって前記第１のリンクを復号する手段と、
を備える装置。
【請求項１９】
無線セル間干渉除去のための装置であって、
第１のリンクを符号化するためにサービング基地局で使用される第１の識別子にアクセスし、第２のリンクを符号化するために干渉基地局で使用される第２の識別子にアクセスするコンピューティングプラットフォームと、
前記第１および第２のリンクを含む信号を受信する受信機と、
を含み、
前記第１のリンクは前記第２のリンクよりも小さい信号対干渉雑音比及び低い送信レートで受信され、
前記コンピューティングプラットフォームは、さらに、前記第２のリンクを前記第２の識別子で復号し、前記第２のリンクを前記第２の識別子で再符号化し、前記受信信号から前記再符号化された第２のリンクを除去し、前記再符号化された第２のリンクが除去された前記受信信号からチャネル推定によって前記第１のリンクを復号することによって、前記第２のリンクを除去する、装置。
【請求項２０】
前記コンピューティングプラットフォームは、さらに、送信された変調シンボルのソフト推定により前記第２のリンクを推定する、請求項１９に記載の装置。
【請求項２１】
前記コンピューティングプラットフォームは、さらに、前記送信された変調シンボルの反復推定により前記第２のリンクを推定する、請求項１９に記載の装置。
【請求項２２】
前記第２のリンクは前記第１のリンクより高い電力で受信される、請求項１９に記載の装置。
【請求項２３】
前記コンピューティングプラットフォームは、さらに、前記第２のリンクのパイロット干渉を除去する、請求項１９に記載の装置。
【請求項２４】
前記サービング基地局に受信信号フィードバックを与える送信機をさらに備え、
前記受信機は、さらに、前記与えられた受信信号フィードバックにより少なくとも一部が制御された電力制御で前記干渉基地局からのパイロットを受信する、
請求項１９に記載の装置。
【請求項２５】
前記受信機は、さらに、専用パイロットを受信する、請求項２４に記載の装置。
【請求項２６】
前記コンピューティングプラットフォームは、さらに、前記第２のリンクの制御チャネル干渉を除去する、請求項１９に記載の装置。
【請求項２７】
前記受信機は、さらに、対象とされたユーザ装置（ＵＥ）の媒体アクセス制御（ＭＡＣ）識別子でスクランブルされた前記受信信号中の選択されたユニキャスト制御チャネルを受信し、
前記コンピューティングプラットフォームは、さらに、前記ＭＡＣ識別子にアクセスし、前記ＭＡＣ識別子を使用して前記制御チャネルを除去する、
請求項２６に記載の装置。
【請求項２８】
前記コンピューティングプラットフォームは、さらに、同じ物理層リソースを占める両方の基地局からの制御チャネルに応じて１つの制御チャネルを除去する、請求項２６に記載の装置。
【請求項２９】
前記受信機は、さらに、増加された信号対干渉雑音比のために前記サービング基地局からの物理ダウンリンク制御チャネル（ＰＤＣＣＨ）を、前記干渉基地局からのＰＤＣＣＨよりも低い送信レートで受信する、請求項２６に記載の装置。
【請求項３０】
前記受信機は、さらに、前記サービング基地局と前記干渉基地局のうちの一方であって、他方の基地局による干渉に関するフィードバックに応答して電力が増加された基地局から、物理ダウンリンク制御チャネル（ＰＤＣＣＨ）を受信する、請求項２６に記載の装置。
【請求項３１】
前記コンピューティングプラットフォームは、さらに、前記第２のリンクのトラヒックチャネル干渉を除去する、請求項１９に記載の装置。
【請求項３２】
前記受信機は、さらに、対象とされたユーザ装置（ＵＥ）の媒体アクセス制御（ＭＡＣ）識別子でスクランブルされた前記受信信号中の前記干渉基地局からの選択されたユニキャスト制御チャネルを受信し、
前記コンピューティングプラットフォームは、さらに、前記ＭＡＣ識別子にアクセスし、前記トラヒックチャネル干渉を除去する際に前記第２のリンクのトラヒックチャネル割当てを得るために前記ＭＡＣ識別子を使用して前記制御チャネルを復号する、請求項３１に記載の装置。
【請求項３３】
前記第１のリンクのチャネル品質を前記サービング基地局に報告し、前記第２のリンクのチャネル品質と復号されたダウンリンク肯定応答割当てとを前記サービング基地局に報告する送信機をさらに含み、
前記受信機は、さらに、前記トラヒックチャネル干渉の事前除去なしに復号を可能にする信号対干渉雑音比の増加について調整された送信レートで前記第１のリンクのトラヒックチャネルを受信する、請求項３１に記載の装置。
【請求項３４】
前記第１のリンクのチャネル品質を前記サービング基地局に報告し、前記第２のリンクのチャネル品質と復号されたダウンリンク肯定応答割当てとを前記サービング基地局に報告する送信機をさらに含み、
前記受信機は、さらに、改善された復号のための前記サービング基地局と前記干渉基地局との間のネゴシエーションに応答して調整された送信レートで、前記第１のリンクの前記トラヒックチャネルと前記第２のリンクの前記トラヒックチャネル干渉とのうちの少なくとも一方を受信し、
前記コンピューティングプラットフォームは、さらに、前記送信レート調整の後、より高い信号対干渉雑音比を有する前記第１および第２のリンクのうちの選択された一方を最初に復号する、請求項３１に記載の装置。
【発明の詳細な説明】
【優先権の主張】
【０００１】
米国特許法第１１９条に基づく優先権の主張
本特許出願は、２００８年７月１１日に出願され、本願の譲受人に譲渡され、参照によりその全体が本明細書に明確に組み込まれる「Systems and Methods for Uplink Inter-cell Interference Cancellation Using Hybrid Automatic Repeat (HARQ) Retransmissions」という名称の仮出願第６１／０８０，０５１号の優先権を主張する。
【技術分野】
【０００２】
本開示は、一般に無線通信に関し、より詳細には、これに限定はしないが、無線ネットワークの干渉管理のための様々な電子回路またはアルゴリズムに関する。
【背景技術】
【０００３】
無線ネットワークは、電話、データ、映像、オーディオ、メッセージ、同報通信などのような消費者への様々なサービスを提供するために広範囲に配備される。無線ネットワークは、局地的、全国的、またはさらに世界的な領域にわたって広帯域通信を可能にする。そのようなネットワークは時には無線広域ネットワーク（ＷＷＡＮ）と呼ばれる。ＷＷＡＮの１つの一般例は、ＣＤＭＡ２０００、すなわち移動加入者間で音声、データ、およびシグナリングを送るために符号分割多元接続（ＣＤＭＡ）を使用する電気通信標準をサポートするセルラーネットワークである。ＷＷＡＮの別の例は、共に無線インターフェイス標準のＣＤＭＡ２０００ファミリーの一部であるエボリューションデータオプティマイズド（ＥＶ−ＤＯ）またはウルトラモバイルブロードバンド（ＵＭＢ）などの、移動加入者に広帯域インターネットアクセスを提供するセルラーネットワークである。他の例はＷＣＤＭＡ、ＨＳＰＡ、ＬＴＥ（ロングタームエボリューション）およびＬＴＥ−アドバンストを含む。これらのセルラーネットワークは、一般に、移動加入者に役立つように各セルに配置された固定基地局を用いて多数のセルラー領域にわたってカバレッジを提供する。
【０００４】
ネットワークにおける１つの特定の例示的な使用では、端末は順方向（forward）リンクおよび／または逆方向(reverse)リンクによってサービング基地局と通信することができる。順方向リンクでは、端末は干渉基地局からの高い干渉を観測することがある。逆方向リンクでは、サービング基地局は干渉端末からの高い干渉を観測することがある。各リンクの干渉は、そのリンクで送られるデータ送信の性能を劣化させることがある。ＬＴＥなどの無線標準の今後の改訂版では、様々な電力の基地局（たとえば、高電力マクロセルおよび低電力ピコセル）をサポートする必要がある。さらに、「制限されたアソシエーション（association）」、すなわちクローズド加入者グループ（ＣＳＧ：Closed Subscriber Group）の下で動作するいくつかのセル（今後、フェムトセルと呼ばれる）がある場合があり、すなわち、それらのセルは、いくつかのユーザ端末（ＵＥ）がそれらのセルにだけ接続できるようにする。たとえば、これらのＵＥは、オペレータによって提供される特別のアクセスプランに申し込んだユーザに属する。
【０００５】
従来の同種配置では、ＵＥは、一般に、最も高いジオメトリ（geometry）（すなわち信号対雑音比）をもつセルに接続する。しかし、非連結リンクなどのいつかの場合では、最も強力な順方向リンクジオメトリセルが最も強力な逆方向リンクセルと同じでないことがある（逆も同様である）ので、ＵＥはより弱いセルに接続することがある。さらに、異種配置では、ＵＥがより弱い基地局に接続するのを可能にすることに利点がある。たとえば、ネットワークのジオメトリがより低くても、ネットワークにもたらされる干渉を最小限にするために、ＵＥは最も低い経路損失（path loss）をもつセルに接続することができる。同様に、制限されたアソシエーションの場合には、ＵＥは最も強力なジオメトリ基地局にアクセスする許可が得られないことがあるので、ＵＥはより弱いジオメトリ基地局に接続せざるを得ないことがある。
【発明の概要】
【０００６】
以下では、開示される態様のうちのいくつかの態様に関する基本的知識を提供するために簡単化された概要が提示される。この概要は広範囲にわたる概説ではなく、キーもしくは重大な要素を特定するものではなく、そのような態様の範囲を定めるものでもない。その目的は、後で提示されるより多くの詳細な説明の前置きとして、説明される特徴のいくつかの概念を簡単な形態で提示することである。
【０００７】
１つまたは複数の態様およびそれの対応する開示によれば、様々な態様は干渉チャネルの除去に関連して説明される。干渉チャネルを符号化するのに使用された識別子は信号除去に使用される。送信調整は、複数のチャネルのうちの１つの信号対干渉雑音比（ＳＩＮＲ）に影響を与えるネットワークエンティティ（たとえば、サービング基地局および／または干渉基地局）によって行われ得る。それによって、干渉の除去が強化される。
【０００８】
一態様では、第１のリンクを符号化するためにサービング基地局によって使用される第１の識別子にアクセスすることと、第２のリンクを符号化するために干渉基地局によって使用される第２の識別子にアクセスすることと、第１および第２のリンクを含む信号を受信することと、第２のリンクを対応する識別子で推定し、受信信号から第２のリンクを除去することによって第２のリンクを除去することと、チャネル推定によって受信信号から第１のリンクを復号することとによる無線セル間干渉除去の方法が提供される。
【０００９】
別の態様では、無線セル間干渉除去のための少なくとも１つのプロセッサが提供される。第１のモジュールは、第１のリンクを符号化するためにサービング基地局によって使用される第１の識別子にアクセスする。第２のモジュールは、第２のリンクを符号化するために干渉基地局によって使用される第２の識別子にアクセスする。第３のモジュールは、第１および第２のリンクを含む信号を受信する。第４のモジュールは、第２のリンクを対応する識別子で推定し、受信信号から第２のリンクを除去することによって、第２のリンクを除去する。第５のモジュールは、チャネル推定によって受信信号から第１のリンクを復号する。
【００１０】
追加の態様では、無線セル間干渉除去のための装置が提供される。第１のリンクを符号化するためにサービング基地局によって使用される第１の識別子にアクセスするための手段が設けられる。第２のリンクを符号化するために干渉基地局によって使用される第２の識別子にアクセスするための手段が提供される。第１および第２のリンクを含む信号を受信するための手段が設けられる。第２のリンクを対応する識別子で推定し、受信信号から第２のリンクを除去することによって、第２のリンクを除去するための手段が設けられる。チャネル推定によって受信信号から第１のリンクを復号するための手段が設けられる。
【００１１】
別の追加の態様では、無線セル間干渉除去のためのコンピュータプログラム製品が提供される。コンピュータ可読記憶媒体は、コンピュータに、第１のリンクを符号化するためにサービング基地局によって使用される第１の識別子へアクセスさせる第１のコードセットを備える。第２のコードセットは、コンピュータに、第２のリンクを符号化するために干渉基地局によって使用される第２の識別子へアクセスさせる。第３のコードセットは、コンピュータに、第１および第２のリンクを含む信号を受信させる。第４のコードセットは、コンピュータに、第２のリンクを対応する識別子で推定し、受信信号から第２のリンクを除去することによって、第２のリンクを除去させる。第５のコードセットは、コンピュータに、チャネル推定によって受信信号から第１のリンクを復号させる。
【００１２】
さらなる態様では、無線セル間干渉除去のための装置が提供される。コンピューティングプラットフォームは、第１のリンクを符号化するためにサービング基地局で使用される第１の識別子にアクセスし、第２のリンクを符号化するために干渉基地局で使用される第２の識別子にアクセスする。受信機は第１および第２のリンクを含む信号を受信する。コンピューティングプラットフォームはさらに、第２のリンクを対応する識別子で復号し、第２のリンクを対応する識別子で再符号化し、受信信号から第２のリンクを除去し、チャネル推定によって受信信号から第１のリンクを復号することによって第２のリンクを除去する。
【００１３】
さらに一態様では、第１の識別子で符号化された第１のリンクを、第２の識別子で符号化された干渉基地局からの干渉する第２のリンクも受信するノードへ送信し、ノードでの受信信号から第１および第２のリンクのうちの一方を除去する能力を示すノードからのフィードバックを受信し、フィードバックに応答して第１および第２のリンクのうちの一方の信号対干渉雑音比（ＳＩＮＲ）の相対的変更のための送信に調整を行うことによる無線セル間干渉除去の方法が提供され、ここで、ノードは、第２のリンクを第２の識別子で復号し、第２のリンクを第２の識別子で再符号化し、受信信号から第２のリンクを除去し、チャネル推定によって受信信号から第１のリンクを復号することよって、より高いＳＩＮＲで受信される時に第２のリンクの除去を行う。
【００１４】
さらに別の態様では、無線セル間干渉除去のための少なくとも１つのプロセッサが提供される。第１のモジュールは、第１の識別子で符号化された第１のリンクを、第２の識別子で符号化された干渉基地局からの干渉する第２のリンクも受信するノードへ送信する。第２のモジュールは、ノードでの受信信号から第１および第２のリンクのうちの一方を除去する能力を示すノードからのフィードバックを受信する。第３のモジュールは、フィードバックに応答して第１および第２のリンクのうちの一方の信号対干渉雑音比（ＳＩＮＲ）の相対的変更のための送信に調整を行う。ノードは、第２のリンクを第２の識別子で復号し、第２のリンクを第２の識別子で再符号化し、受信信号から第２のリンクを除去し、チャネル推定によって受信信号から第１のリンクを復号することよって、より高いＳＩＮＲで受信される時に第２のリンクの除去を行う。
【００１５】
さらに追加の態様では、無線セル間干渉除去のためのコンピュータプログラム製品が提供される。コンピュータ可読記憶媒体は、コンピュータに、第２の識別子で符号化された干渉基地局からの干渉する第２のリンクも受信するノードへ第１の識別子で符号化された第１のリンクを送信させる第１のコードセットを備える。第２のコードセットは、コンピュータに、ノードでの受信信号から第１および第２のリンクのうちの一方を除去する能力を示すノードからのフィードバックを受信させる。第３のコードセットは、コンピュータに、フィードバックに応答して第１および第２のリンクのうちの一方の信号対干渉雑音比（ＳＩＮＲ）の相対的変更のための送信に調整を行わせる。ノードは、第２のリンクを第２の識別子で復号し、第２のリンクを第２の識別子で再符号化し、受信信号から第２のリンクを除去し、チャネル推定によって受信信号から第１のリンクを復号することよって、より高いＳＩＮＲで受信される時に第２のリンクの除去を行う。
【００１６】
さらに別の追加の態様では、無線セル間干渉除去のための装置が提供される。第１の識別子で符号化された第１のリンクを、第２の識別子で符号化された干渉基地局からの干渉する第２のリンクも受信するノードへ送信するための手段が設けられる。ノードでの受信信号から第１および第２のリンクのうちの一方を除去する能力を示すノードからのフィードバックを受信するための手段が設けられる。フィードバックに応答して第１および第２のリンクのうちの一方の信号対干渉雑音比（ＳＩＮＲ）の相対的変更のための送信に調整を行うための手段が設けられる。ノードは、第２のリンクを第２の識別子で復号し、第２のリンクを第２の識別子で再符号化し、受信信号から第２のリンクを除去し、チャネル推定によって受信信号から第１のリンクを復号することよって、より高いＳＩＮＲで受信される時に第２のリンクの除去を行う。
【００１７】
さらに、さらなる態様では、無線セル間干渉除去のための装置が提供される。送信機は、第１の識別子で符号化された第１のリンクを、第２の識別子で符号化された干渉基地局からの干渉する第２のリンクも受信するノードへ送信する。第１のリンクの送信機または干渉基地局のいずれかの受信機は、ノードでの受信信号から第１および第２のリンクのうちの一方を除去する能力を示すノードからのフィードバックを受信する。コンピューティングプラットフォームは、フィードバックに応答して第１および第２のリンクのうちの一方の信号対干渉雑音比（ＳＩＮＲ）の相対的変更のための送信に調整を行う。ノードは、第２のリンクを第２の識別子で復号し、第２のリンクを第２の識別子で再符号化し、受信信号から第２のリンクを除去し、チャネル推定によって受信信号から第１のリンクを復号することよって、より高いＳＩＮＲで受信される時に第２のリンクの除去を行う。
【００１８】
前述のおよび関連する目的を達成するために、１つまたは複数の態様は、以下で十分に説明され、特に特許請求の範囲で指摘される特徴を備える。以下の説明および添付の図面は、いくつかの例示的な態様を説明し、態様の原理が使用され得る様々な方法のほんの数例を示す。他の利点および新規の特徴は、図面と共に検討される時以下の詳細な説明から明らかになるはずであり、開示された態様はそのような態様およびそれの均等物をすべて含むものである。
【００１９】
本開示の特徴、本質、および利点は、同様の参照文字が全体を通して対応して識別する図面と関連して解釈する時、以下で説明される詳細な説明からより明確になるであろう。
【図面の簡単な説明】
【００２０】
【図１】干渉基地局がある状態で基地局と通信するユーザ装置（ＵＥ）をもつ無線通信システムのブロック図。
【図２】パイロット、制御、およびトラヒック統合除去を行うための動作の方法またはシーケンスのタイミング図。
【図３】パイロット、制御、およびトラヒック統合除去を行うための動作の方法またはシーケンスのタイミング図。
【図４】それぞれの基地局と通信し、他のそれぞれの基地局からの干渉を受けるユーザ装置（ＵＥ）の通信システムのブロック図。
【図５】無線干渉除去を行う方法を実行するコンピューティングプラットフォームを有するノードのブロック図。
【図６】無線干渉除去を行う電気コンポーネントの論理的グルーピングを有するシステムのブロック図。
【図７】無線干渉除去の性能を強化するための電気コンポーネントの論理的グルーピングを有するシステムのブロック図。
【図８】無線セル間干渉除去手段を有する装置のブロック図。
【図９】セル間干渉除去のネットワーク円滑化のための手段を有する装置のブロック図。
【発明を実施するための形態】
【００２１】
通信技術は、異なる基地局によって送信される支配的干渉信号を受けるＵＥ（ユーザ装置）との効率的な通信を可能にする。フェムトセルおよびピコセルが全地球測位システム（ＧＰＳ）などの同期源にアクセスすることを意味する同期システムを想定することは有用である。ＵＥ中心およびネットワーク中心の両方の開示される干渉除去技法はこの状況に好適である。これらの技法は、既存の基地局の物理（ＰＨＹ）層および媒体アクセス制御（ＭＡＣ）層に変化をもたらすことが望ましくないかまたは困難な時に特に有利である。ＵＥ中心（「下位互換」）フレームワークは、ピコセルまたはフェムトセルを含むようにＵＥによって主として実施される手法を指す。基地局とＵＥとの間のネットワーク中心フレームワーク閉ループ調整により干渉軽減が達成され、それによってネットワーク性能が改善される。特に、干渉基地局は、ダウンリンクパイロットおよび制御電力を調整することによって、「犠牲」ＵＥを支援し、干渉リンクおよび除去自体の性能に関する情報（たとえば事前除去ＣＱＩ（チャネル品質表示）およびＡＣＫ（肯定応答））を含む、「犠牲」ＵＥが与える情報に応答してトラヒックデータレートを調整するのに役立つことができる。このフィードバック情報は電波で送るか、またはバックホールを使用して送ることができる。
【００２２】
「例示的な」という語は、本明細書では「例、事例、または例証として取り扱う」ことを意味するために使用される。本明細書で「例示的な」ものとして説明されるいかなる実施形態も他の実施形態よりも好ましいかまたは有利であると必ずしも解釈されるべきではない。開示される実施形態は、以下の技術、すなわち、符号分割多元接続（ＣＤＭＡ）システム、マルチキャリアＣＤＭＡ（ＭＣ−ＣＤＭＡ）、広帯域ＣＤＭＡ（Ｗ−ＣＤＭＡ）、高速パケットアクセス（ＨＳＰＡ、ＨＳＰＡ＋）、時分割多元接続（ＴＤＭＡ）システム、周波数分割多元接続（ＦＤＭＡ）システム、直交周波数分割多元接続（ＯＦＤＭＡ）システム、または他の多元接続技術のうちの任意の１つまたは組合せに適用することができる。無線通信システムは、ＩＳ−９５、ｃｄｍａ２０００、ＩＳ−８５６、Ｗ−ＣＤＭＡ、ＴＤ−ＳＣＤＭＡ、および他の標準などの１つまたは複数の標準を実施するように設計することができる。
【００２３】
添付図面に関連して以下で説明される詳細な説明は本発明の様々な構成を説明するものであり、本発明を実施することができる唯一の構成を示すものではない。詳細な説明は、本発明の完全な理解を与えるために具体的な詳細を含む。しかし、これらの具体的な詳細なしに本発明を実施できることは当業者には明らかであろう。いくつかの事例では、本発明の概念を不明瞭にしないようにするために、良く知られた構造およびコンポーネントはブロック図の形態で示される。
【００２４】
次に、図１の図面を参照すると、第２のＵＥA１０８と通信するより強力な干渉ｅＮＢA１０６がある状態で、干渉軽減進化型（interference mitigating evolved）基地局（ｅＮＢB）１０４と効果的に通信するために、無線通信システム１００は、干渉軽減ＵＥ（ＵＥB）１０２によって行われるセル間干渉除去フレームワーク１０１を容易にする。
【００２５】
本技術革新の一態様では、ＵＥBのコンピューティングプラットフォーム１１０による干渉除去は、強力な干渉を受ける信号の復号を可能にするために用いられる。一態様では、干渉除去は、パイロットチャネル（「パイロット」）１１２、制御チャネル１１４、およびトラヒックチャネル１１６に適用することができる。干渉は異なる基地局ｅＮＢA１０６によって生成されるので、ある追加情報をこの除去処理に使用することができる。たとえば、干渉およびその識別子を復号し、干渉を対応する識別子で再符号化することによって干渉の推定を行うことができる。それは、送信された変調シンボルをソフト推定（soft estimation）、反復推定、またはいくつかの他の技法を介して推定することによって行うこともできる。
【００２６】
一態様では、ＵＥB１０２のコンピューティングプラットフォーム１１０のパイロット干渉除去（ＰＩＣ）コンポーネント１１８は、受信信号（すなわち、ｅＮＢB１０４からのダウンリンク１２０とｅＮＢA１０６からのダウンリンク１２２との組合せ）からより強力なｅＮＢA１０６からのパイロット１１２を除去し、次に、より弱いｅＮＢB１０４によって送信されたダウンリンク１２０を抽出するように試みる。トラヒック干渉除去が使用されない場合でさえ、ＰＩＣコンポーネント１１８は有利となることがある。いくつかの干渉回避スキームでは、ｅＮＢA１０６はｅＮＢB１０２にダウンリンクリソースを譲る。この場合でさえ、ｅＮＢA１０６はレガシーな（legacy）理由でＲＳ（すなわち、参照信号、パイロットの別名称）を送信することがある。ｅＮＢA１０６のＲＳおよびｅＮＢB１０４のＲＳがオーバーラップする場合、ｅＮＢB１０４のチャネルをより良好に推定できるようにするのにＰＩＣは必要または有利である。ｅＮＢA１０６のＲＳがｅＮＢB１０４のトラヒックチャネルとオーバーラップする場合、ＵＥB１０２は対数尤度比（ＬＬＲ）をゼロ設定するか、またはその信号からｅＮＢA１０６のパイロットを除去するように試みることができる。パイロット１１２の干渉除去には、ＵＥB１０２が１２４で示されるように各セル１０４、１０６の識別子（ＩＤ）を知ることが必要である。
【００２７】
別の態様では、ＵＥB１０２のコンピューティングプラットフォーム１１０の制御干渉除去（ＣＩＣ）コンポーネント１２６は、干渉制御チャネルが送信されるユーザ（たとえばＵＥA１０８）のＭＡＣ＿ＩＤ１２７をＵＥB１０２が知ることを必要とする制御チャネル１１４の干渉除去を行う。
【００２８】
追加の態様では、ＵＥB１０２のコンピューティングプラットフォーム１１０のトラヒック干渉除去（ＴＩＣ）コンポーネント１２８は、干渉基地局ｅＮＢA１０６からの追加の動作なしにトラヒックチャネル１１６の干渉除去を行う。トラヒック干渉除去は、干渉トラヒック１１６に関連する制御情報（すなわち、割当ておよびＡＣＫ）１３０をＵＥB１０２が知ることを必要とする。干渉リンク（ダウンリンク１２２）および除去自体の性能に関するある追加情報が事前除去フィードバック１３２（ＣＱＩおよびＡＣＫ）として基地局ｅＮＢB１０４に与えられる場合、基地局ｅＮＢB１０４から干渉除去を行うＵＥB１０２までの通信はより効率的となる。
【００２９】
代替としてまたは追加として、ｅＮＢB１０４および／またはｅＮＢA１０６などのネットワークエンティティはセル間干渉除去フレームワーク１０１の一部のコンポーネントとすることができ、ＵＥB１０２の能力が強化される。一態様では、ｅＮＢB１０４のコンピューティングプラットフォーム１３４は、以下で説明されるように動作することができるＰＩＣコンポーネント１３６、ＣＩＣコンポーネント１３８、およびＴＩＣコンポーネント１４０を備えることができる。さらに、干渉ｅＮＢA１０６は、パイロット電力調整コンポーネント１４２、制御チャネル電力調整コンポーネント１４４、およびトラヒックデータレート調整コンポーネント１４６の使用によって干渉軽減に協力することができる。この協力は、バックホールネットワークまたは無線リンク（ＲＬ）制御チャネル１５０により送られる関連情報（たとえば、ＣＱＩA、ＣＱＩB、ＡＣＫA、ＡＣＫB）１４８に応答する。
【００３０】
図２において、第２のＵＥA２０８と通信するより強力な干渉ｅＮＢA２０６がある状態で、干渉軽減進化型基地局（ｅＮＢB）２０４と効果的に通信するために、動作２００の方法またはシーケンスは、干渉緩和ＵＥ（ＵＥB）２０２によって行われるＵＥ中心セル間干渉除去のために行われる。
【００３１】
一態様では、パイロット干渉除去（ＰＩＣ）が２１０で示されるように行われ、２つのｅＮＢ２０４、２０６によって送られるパイロットはそれぞれ２１２、２１４に示されるようにオーバーラップする。各ｅＮＢ２０４、２０６によって送られるパイロットはセル固有であり、それらはｅＮＢ＿ＩＤ（たとえばセルＩＤ、セクタＩＤ）によって決定される。ＰＩＣ２１０では、ＵＥB２０２は、それぞれ２１６、２１８で示される両方のｅＮＢのｅＮＢ＿ＩＤを抽出する。ＵＥB２０２は受信したパイロットを使用して、より強力なｅＮＢのチャネルを推定し、受信したパイロットシーケンスからこのｅＮＢの寄与を除去する（ブロック２２０）。次に、ブロック２２２において、ＵＥB２０２は第２のｅＮＢ＿ＩＤを使用して、第２のｅＮＢA２０６のチャネルを推定する。
【００３２】
２２２で示されるように代替としてまたは追加として、ネットワーク中心パイロット干渉除去（ＰＩＣ）は、より強力なｅＮＢA２０８からのパイロットを受信信号から除去するようにＵＥB２０２による取組みを強化し、次に、より弱いｅＮＢB２０４によって送信される信号を抽出するように試みる。特に、ＵＥB２０２（たとえばフェムトセル）のＵＥ中心ＰＩＣ２１０がより効率的であるように、ネットワーク中心ＰＩＣスキーム２２２は、ｅＮＢA２０６がパイロットの電力を制御できるようにする（ブロック２２３）。一般に、これは、専用パイロットが使用され、したがって結果としての電力増強がシステム全体に限定的効果を有するシナリオに特に好適となり得る。
【００３３】
別の態様では、制御干渉除去（ＣＩＣ）が２２４で示されるように行われる。ブロック２２５において、干渉ｅＮＢA２０６によって送られた制御情報の取り出しが必要である。ＵＥB２０２は１つのｅＮＢA２０６の制御チャネルを復号し（ブロック２２６）、それを再符号化し（ブロック２２７）、受信信号からそれを除去する（ブロック２２８）。
【００３４】
ＬＴＥの例示的な実施では、制御チャネルAは、ブロック２３０で示されるように対象ユーザＵＥA２０８のＭＡＣ＿ＩＤでスクランブルされ、ｅＮＢA２０６からユニキャストで送られる（ブロック２３２）。ＬＴＥの場合には、ＭＡＣ＿ＩＤはセル無線ネットワーク一時識別子（ｃ−ＲＮＴＩ）と呼ばれることがある。したがって、（ａ）ｅＮＢB２０４からＵＥB２０２までの制御チャネルと同じＰＨＹリソースを占有し、（ｂ）ｅＮＢB２０４からのトラヒックと干渉するトラヒックチャネル（ｅＮＢA２０６からのトラヒック）に対する割当てを搬送する制御チャネルをスクランブルするのに使用されるＭＡＣ＿ＩＤをＵＥが知ることは有利である。事例（ａ）および（ｂ）は互いに排他的である必要がないことは認識されるべきである。制御Aをスクランブルするのに使用されるＭＡＣ＿ＩＤは、（ｉ）恐らく特別の符号スキームを使用し、２３４で示されるようにＰＤＣＣＨA（物理ダウンリンク制御チャネル）を使用して、エアーにより、または（ｂ）２３６で示されるようなバックホールにより、ＵＥB２０２に知らせることができる。
【００３５】
ＭＡＣ＿ＩＤを知ると、ＵＥは、ＰＤＣＣＨＢおよびＰＤＣＣＨＡ（必要に応じ）の両方の復号を可能にするＰＤＣＣＨ復号方法を選ぶことができる（ブロック２３８）。ＣＩＣ２２４が行われる場合、ＵＥB２０２は、最初に、より高いＳＩＮＲ（信号対干渉プラス雑音比）で受信されるＰＤＣＣＨを復号する（ブロック２３９）。
【００３６】
２４０で示される別の追加の態様では、ネットワーク中心制御干渉除去（ＣＩＣ）手順は、１つのｅＮＢAの制御チャネル（ＰＤＣＣＨ）を復号し、それを再符号化し、受信信号からそれを除去する、ＵＥB２０２の能力を強化する。特に、ＰＤＣＣＨBの送信がこの状況に適応される場合、ＣＩＣはより効率的に行うことができる。ＰＤＣＣＨBの送信レートはＰＤＣＣＨAのものよりも非常に低いと仮定する（ブロック２４２）。この状況において、ｅＮＢBは、ＰＤＣＣＨAが受信されるＳＩＮＲを最大にするＰＤＣＣＨBに対し符号化スキームを選ぶことができ、それにより、このチャネルのより良好な復号およびより良好なＣＩＣが可能になる（ブロック２４４）。
【００３７】
代替としてまたは追加として、ＰＤＣＣＨAの送信がこの状況に適応される場合、ＣＩＣはより効率的に行うことができる。セルＡがより大きく、セルＢがセルＡの内部にあると仮定する（ブロック２４５）。この状況では、ｅＮＢAは、このチャネルがｅＮＢBに近いＵＥによって正確に復号され得るようにＰＤＣＣＨAの電力を増強する必要がある場合がある。さらに、ｅＮＢAはこれを選択的に行う必要がある場合があり、この場合、ｅＮＢBは、ＰＤＣＣＨAの電力を増強する（ブロック２４８）ためにｅＮＢA２０６が使用する関連情報（セルサイズおよび位置、ユーザのトラヒック割当て）をｅＮＢA２０６にバックホールで伝達することができる（ブロック２４６）。ＣＩＣの代替としてまたはＣＩＣに加えて、制御直交化を使用することができる。そのような場合、サービングセルおよび干渉セルの制御チャネルは異なるリソースを使用する。
【００３８】
図３に進み、追加の態様では、通信ネットワーク２００で行われるＵＥ中心（「下位互換backward-compatible」）トラヒック干渉除去（ＴＩＣ）が２４９に示され、２５０に示されるようにｅＮＢA２０６によって送られたトラヒック（干渉トラヒック）は、ｅＮＢA２０６またはｅＮＢB２０４からのいかなる動作（電力制御、レート調整）なしに、ＵＥB２０２で復号することができる。この事例では、トラヒック電力Ａはトラヒック電力Ｂよりも大きい。図示のようにｅＮＢA２０６からのトラヒックの復号は、ｅＮＢB２０４からのトラヒックを雑音として扱うことにより行われる（ブロック２５１）。これは、たとえば、ｅＮＢAによって送られたトラヒックがセルの端にあるユーザを対象としており、それにより注目するＵＥB２０２によって高電力で受信される場合に可能となることがある。ＵＥB２０２は、ｅＮＢA２０６によって送られたトラヒックに関連する制御情報を復号する（ブロック２５２）。
【００３９】
ｅＮＢB２０４からのトラヒックのＳＩＮＲ（信号対干渉雑音比）の事後除去は、２５４で示されるようにｅＮＢA２０６からのトラヒックを干渉と見なすＳＩＮＲよりも実質的に高くなることがある。この状況では、ＵＥB２０２がｅＮＢB２０４に、（１）２５６でＣＱＩAとして示されるリンクＡについての（事前ＴＩＣ）ＣＱＩ（チャネル品質表示）、（１ａ）２６０でＤＬ  ＡＣＫAとして示されるリンクＡのトラヒックについてのＡＣＫ、および（２）２６４で示されるようなＣＱＩBとして示されるリンクＢの（事後ＴＩＣ）ＣＱＩ、を報告するのは有用である。ＵＥB２０２はＣＱＩAおよびＡＣＫAを使用して、リンクＢのレートを調整する（ブロック２６６）。この調整は、（１）ＵＥB２０２がＵＥ中心ＴＩＣを行うことができる（ブロック２６８）ことを保証する、（２）リンクＢのトラヒックの送信を、ＵＥB２０２が最初にＵＥ中心ＴＩＣを行うことなくリンクＢのトラヒックを復号するように、調整する（ブロック２７０）という２つの例示的な方法で行うことができる。
【００４０】
２７２で示される追加の態様では、ネットワーク中心トラヒック干渉除去（ＴＩＣ）は、ｅＮＢB２０４からの追加の支援なしで干渉トラヒック（ｅＮＢA２０６からのトラヒック）を復号するためにいくつかの事例でＵＥB２０２にとって必要とされる追加のＳＩＮＲを提供することができる。ＵＥ中心ＴＩＣ手順２７２において、リンクＢのトラヒックチャネル２７３の正確な復号を可能にするのに必要とされる追加の動作は、ＵＥB２０２およびｅＮＢB２０４によって（主として）行われた。例示的な実施では、ＵＥB２０２は２７４で示されるようにＣＱＩA、ＡＣＫA、ＡＣＫB、およびＣＱＩBをｅＮＢBに送る。ＵＥB２０２は、同じ情報（ＣＱＩA、ＣＱＩB、ＡＣＫA、ＡＣＫB）をｅＮＢA２０６に（たとえば、バックホールによりまたは無線リンク（ＲＬ）制御チャネルを使用して）送る（ブロック２７６）。一態様では、ｅＮＢB２０４およびｅＮＢA２０６はバックホール／ＲＬ制御チャネルを使用してレートを取り決める（ネゴシエートする）（ブロック２７８）。ｅＮＢA２０６は、ＵＥB２０２が干渉除去を行うことができるようにリンクＡで送信されるデータ２５６のレートを調整する（ブロック２８０）。レート調整は様々な方法で行うことができる。たとえば、セルＢがセルＡの内部にある場合、ｅＮＢA２０６は、（ｉ）セルの端部にあり（より低いジオメトリを有する）、したがって、その信号がＵＥ中心ＴＩＣの状況を生成するセルの内部でより高い電力で受信されるリンクＡユーザ（ブロック２８２）、（ｉｉ）低データレートを有する（たとえばＶｏＩＰユーザ）リンクＡユーザ（ブロック２８４）にスケジュールすることができる。次に、ＵＥ中心ＴＩＣは上述の２４９のように行うことができる。２８５で示されるように、サービングｅＮＢは、干渉ｅＮＢについてのＳＮＲを改善するためにその電力を変更する。その結果として、これにより、ＵＥは干渉リンクをより良く推定することができ、次に、それは除去することができる。次に、ＵＥはサービングセルからより良好なＳＩＮＲを得る。
【００４１】
情報理論では、１対のユーザが１対の基地局と通信するシナリオは干渉チャネルと呼ばれる。以前のシナリオでは、リンクＡのトラヒックを受信することになっているＵＥA２０８の存在は、リンクＢのトラヒックがＵＥA２０８での受信に実際に影響を与えない場合明確には考慮されていない。しかし、いくつかの事例では、リンクＢがやはりＵＥAに干渉を引き起こしている非支配的な干渉源（interferer）状況がある（ブロック２８６）。この状況では、前に述べた干渉リンクへのレート調整（実際にはレート低減）はＵＥA２０８を犠牲にしてなされる。ｅＮＢAおよびｅＮＢBは、リンクＡおよびＢの両方に好適であるレート対（ＲA、ＲB）を取り決める（ネゴシエートする）ことができる（ブロック２８８）。広範囲のレート対を達成する１つの例示的なスキームは、２つの異なる干渉除去スキーム間でのリソース共有によるものである（ブロック２９０）。１つの例示的なスキームでは、ＵＥA２０８は、リンクＢで受信される信号（すなわちＵＥB用の信号）を除去し（ブロック２９２）、一方、ＵＥB２０２はその信号を、リンクＡの信号を雑音として扱って、復号している（ブロック２９４）。他の例示的なスキームでは、ＵＥB２０２は干渉除去を行っており（ブロック２９６）、一方、ＵＥA２０８はｅＮＢB２０４からの信号を雑音として扱う（ブロック２９８）。
【００４２】
図４は、様々な態様による無線多元接続通信システム４００の図である。一例では、無線多元接続通信システム４００は多数の基地局４１０および多数の端末４２０を含む。さらに、１つまたは複数の基地局４１０は１つまたは複数の端末４２０と通信することができる。非限定的な例として、基地局４１０は、アクセスポイント、Ｎｏｄｅ  Ｂ、および／または別の適切なネットワークエンティティとすることができる。各基地局４１０は特定の地理的エリア４０２ａ〜ｃに対して通信カバレッジを提供する。本明細書および一般に当技術分野で使用される「セル」という用語は、該用語が使用される文脈に応じて基地局４１０および／またはそのカバレッジエリア４０２ａ〜ｃを指すことができる。
【００４３】
システム容量を改善するために、基地局４１０に対応するカバレッジエリア４０２ａ、４０２ｂ、または４０２ｃは多数のより小さいエリア（たとえば、エリア４０４ａ、４０４ｂ、および４０４ｃ）に区分けすることができる。より小さいエリア４０４ａ、４０４ｂ、および４０４ｃの各々はそれぞれのベーストランシーバサブシステム（ＢＴＳ、図示せず）によってサービスされ得る。本明細書および一般に当技術分野で使用される「セクタ」という用語は、該用語が使用される文脈に応じてＢＴＳおよび／またはそのカバレッジエリアを指すことができる。一例では、セル４０２ａ、４０２ｂ、４０２ｃのセクタ４０４ａ、４０４ｂ、４０４ｃは、基地局４１０のアンテナ群（図示せず）によって形成することができ、各アンテナ群は、セル４０２ａ、４０２ｂ、または４０２ｃの部分にある端末４２０との通信を担う。たとえば、セル４０２ａをサービスする基地局４１０は、セクタ４０４ａに対応する第１のアンテナ群、セクタ４０４ｂに対応する第２のアンテナ群、およびセクタ４０４ｃに対応する第３のアンテナ群を有することができる。しかし、本明細書で開示される様々な態様は、セクタ化セルおよび／または非セクタ化セルを有するシステムで使用することができることが認識されるべきである。さらに、いくつものセクタ化セルおよび／または非セクタ化セルを有する、適した線通信ネットワークはすべてここに添付された特許請求の範囲に含まれるものであることが認識されるべきである。簡単のために、本明細書で使用される「基地局」という用語は、セクタをサービスする局およびセルをサーブする局の両方を指すことができる。本明細書で使用される時、非連結リンクシナリオにおけるダウンリンクセクタは隣のセクタであることが認識されるべきである。以下の説明は、一般に、簡単のために、各端末が１つのサービングアクセスポイントと通信するシステムに関するが、端末はいくつものサービングアクセスポイントと通信することができることが認識されるべきである。
【００４４】
一態様によれば、端末４２０はシステム４００の全体にわたって分散することができる。各端末４２０は固定式または移動式とすることができる。非限定的な例として、端末４２０は、アクセス端末（ＡＴ）、移動局、ユーザ機器、加入者局、および／または別の適切なネットワークエンティティであり得る。端末４２０は、無線デバイス、携帯電話、ＰＤＡ（personal digital assistant）、無線モデム、ハンドヘルドデバイス、または別の適切なデバイスであり得る。さらに、端末４２０は、任意の所与の時点で任意の数の基地局４１０と通信したり、または基地局４１０と通信しないこともある。
【００４５】
別の例では、システム４００は、１つまたは複数の基地局４１０に結合し、基地局４１０に対して調整および制御を行うことができるシステムコントローラ４３０を使用することによって中央集中型アーキテクチャを利用することができる。代替の態様によれば、システムコントローラ４３０は単一のネットワークエンティティまたはネットワークエンティティの集合とすることができる。さらに、システム４００は、基地局４１０が必要に応じて互いに通信できるようにするために分散型アーキテクチャを利用することができる。バックホールネットワーク通信４３４は、そのような分散型アーキテクチャを使用する基地局間のポイントツーポイント通信を容易にすることができる。一例では、システムコントローラ４３０は、多数のネットワークへの１つまたは複数の接続をさらに含むことができる。これらのネットワークは、システム４００の１つまたは複数の基地局４１０と通信する端末４２０へのおよび／または端末４２０からの情報を供給することができるインターネット、他のパケットベースネットワーク、および／または回線交換音声ネットワークを含むことができる。別の例では、システムコントローラ４３０は、端末４２０へのおよび／または端末４２０からの送信をスケジュールすることができるスケジューラ（図示せず）を含むかまたは結合することができる。代替として、スケジューラは、個々のセル４０２ごとに、セクタ４０４ごとに、またはそれらの組合せに存在することができる。
【００４６】
一例では、システム４００は、ＣＤＭＡ、ＴＤＭＡ、ＦＤＭＡ、ＯＦＤＭＡ、単一キャリアＦＤＭＡ（ＳＣ−ＦＤＭＡ）、および／または他の好適な多元接続スキームのような１つまたは複数の多元接続スキームを利用することができる。ＴＤＭＡは時分割多重（ＴＤＭ）を利用し、異なる端末４２０に対する送信は異なる時間間隔での送信によって直交化される。ＦＤＭＡは周波数分割多重（ＦＤＭ）を利用し、異なる端末４２０に対する送信は異なる周波数サブキャリアの送信によって直交化される。一例では、ＴＤＭＡおよびＦＤＭＡシステムは、さらに、符号分割多重化（ＣＤＭ）を使用することができ、多数の端末に対する送信は、それらが同じ時間間隔または周波数サブキャリアで送られても異なる直交符号（たとえばウォルシュ符号）を使用して直交化することができる。ＯＦＤＭＡは直交周波数分割多重（ＯＦＤＭ）を利用し、ＳＣ−ＦＤＭＡは単一キャリア周波数分割多重（ＳＣ−ＦＤＭ）を利用する。ＯＦＤＭおよびＳＣ−ＦＤＭは、システム帯域幅を、各々がデータで変調することができる多数の直交サブキャリア（たとえば、トーン、ビン、…）に分割することができる。一般に、変調シンボルは、ＯＦＤＭでは周波数領域で、ＳＣ−ＦＤＭでは時間領域で送られる。追加としておよび／または代替として、システム帯域幅は、各々が１つまたは複数のサブキャリアを含むことができる１つまたは複数の周波数キャリアに分割することができる。システム４００は、さらに、ＯＦＤＭＡおよびＣＤＭＡのような多元接続スキームの組合せを利用することができる。本明細書で提供される電力制御技術は一般にＯＦＤＭＡシステムについて説明されるが、本明細書で説明される技術は任意の無線通信システムに同様に適用することができることが認識されるべきである。
【００４７】
別の例では、システム４００の基地局４１０および端末４２０は、１つまたは複数のデータチャネルを使用してデータを通信し、１つまたは複数の制御チャネルを使用してシグナリングを通信することができる。システム４００で利用されるデータチャネルは、各データチャネルが任意の所与の時に１つの端末だけで使用されるようにアクティブ端末４２０に割り当てることができる。代替として、データチャネルは、１つのデータチャネルに重畳するかまたは直交してスケジュールできる多数の端末４２０に割り当てることができる。システムリソースを節約するために、システム４００で利用される制御チャネルは、たとえば符号分割多重を使用して、多数の端末４２０間で共有することができる。一例では、周波数および時間でのみ直交多重化されたデータチャネル（たとえばＣＤＭの使用による多重化がされていないデータチャネル）は、対応する制御チャネルよりもチャネル条件および受信機不完全性に起因する直交性の損失の影響を受けにくくなり得る。
【００４８】
図５において、進化型ベースノード（ｅＮＢ）５００として示されるサービング無線アクセスネットワーク（ＲＡＮ）は、コンピュータに、サービング基地局または干渉基地局のいずれかとして無線セル間干渉除去を容易にさせるコードセットのような手段を提供するコンピューティングプラットフォーム５０２を有する。特に、コンピューティングプラットフォーム５０２は、プロセッサ５２０によって実行される複数のモジュール５０６−５１０を記憶するコンピュータ可読記憶媒体（たとえばメモリ）５０４を含む。プロセッサ５２０によって制御される変調器５２２は送信機５２４による変調のためのダウンリンク信号を準備し、送信電力はコンポーネント５３２によって調整され、アンテナ５２６によって放射される。受信機５２８は、復調器５３０によって復調され、復号のためにプロセッサ５２０に供給される、アンテナ５２６からのアップリンク信号を受信する。受信信号強度表示器５３２は受信した信号および干渉の電力を決定することができる。特に、第１の識別子で符号化された第１のリンクを、第２の識別子で符号化された干渉基地局からの干渉する第２のリンクも受信するノードへ送信するための手段（たとえば、モジュール、コードセット）５０６が備えられる。該ノードで受信信号から第１および第２のリンクのうちの一方を除去する能力を示す該ノードからのフィードバックを受信するための手段（たとえば、モジュール、コードセット）５０８が備えられる。フィードバックに応答して第１および第２のリンクのうちの一方の信号対干渉雑音比（ＳＩＮＲ）の相対的変更について送信に調整をもたらすための手段（たとえば、モジュール、コードセット）５１０が備えられる。それによって、該ノードは、第２のリンクを第２の識別子で復号し、第２のリンクを第２の識別子で再符号化し、受信信号から第２のリンクを除去し、チャネル推定によって受信信号から第１のリンクを復号することによって、より高いＳＩＮＲで受信されるときに第２のリンクの除去を行う際に増強される。
【００４９】
図５を引き続き参照して、移動局またはユーザ機器（ＵＥ）５５０として示されるノードは、コンピュータに無線セル間干渉除去を行わせるためのコードセットのような手段を備えるコンピューティングプラットフォーム５５２を有する。特に、コンピューティングプラットフォーム５５２は、プロセッサ５７０によって実行される複数のモジュール５５６〜６６０を記憶するコンピュータ可読記憶媒体（たとえばメモリ）５５４を含む。プロセッサ５７０によって制御される変調器５７２は送信機５７４による変調のためのアップリンク信号を準備し、それは５７７で示されるようにアンテナ５７６によってｅＮＢ５００に放射される。受信機５７８は、復調器５８０によって復調され、復号のためにプロセッサ５７０に供給されるｅＮＢ５００からのダウンリンク信号をアンテナ５７６から受信する。特に、手段（たとえば、モジュール、コードセット）５５６は、第１のリンクを符号化するためにサービング基地局によって使用される第１の識別子にアクセスするためのものである。手段（たとえば、モジュール、コードセット）５５７は、第２のリンクを符号化するために干渉基地局によって使用される第２の識別子にアクセスするためのものである。手段（たとえば、モジュール、コードセット）５５８は、第１および第２のリンクを含む信号を受信するためのものである。手段（たとえば、モジュール、コードセット）５５９は、第２のリンクを対応する識別子で推定し、受信信号から第２のリンクを除去することによって、第２のリンクを除去するためのものである。手段（たとえば、モジュール、符号の組）５６０は、チャネル推定によって受信信号から第１のリンクを復号するためのものである。
【００５０】
図６を参照すると、無線セル間干渉除去を行うシステム６００が示される。たとえば、システム６００は少なくとも部分的にユーザ機器（ＵＥ）内に存在することができる。システム６００は、コンピューティングプラットフォーム、プロセッサ、ソフトウェア、またはそれらの組合せ（たとえばファームウェア）によって実施される機能を表す機能ブロックであり得る機能ブロックを含むように表されることが認識されるべきである。システム６００は、共同して作用することができる電気コンポーネントの論理グルーピング６０２を含む。たとえば、論理グルーピング６０２は、第１のリンクを符号化するためにサービング基地局によって使用される第１の識別子にアクセスするための電気コンポーネント６０４を含むことができる。さらに、論理グルーピング６０２は、第２のリンクを符号化するために干渉基地局によって使用される第２の識別子にアクセスするための電気コンポーネント６０６を含むことができる。さらに、論理グルーピング６０２は、第１および第２のリンクを含む信号を受信するための電気コンポーネント６０８を含むことができる。論理グルーピング６０２は、第２のリンクを対応する識別子で推定し、受信信号から第２のリンクを除去することによって、第２のリンクを除去するための電気コンポーネント６１０を含むことができる。論理グルーピング６０２は、チャネル推定によって受信信号から第１のリンクを復号するための電気コンポーネント６１２を含むことができる。さらに、システム６００は、電気コンポーネント６０４−６１２に関連する機能を実行するための命令を保持するメモリ６１４を含むことができる。電気コンポーネント６０４−６１２のうちの１つまたは複数がメモリ６１４の外部にあるように示されているが、メモリ６１４内に存在できることは理解されるべきである。
【００５１】
図７を参照すると、無線セル間干渉除去を増強するシステム７００が示される。たとえば、システム７００は少なくとも部分的にユーザ機器（ＵＥ）内に存在することができる。システム７００は、コンピューティングプラットフォーム、プロセッサ、ソフトウェア、またはそれらの組合せ（たとえばファームウェア）によって実施される機能を表す機能ブロックとすることができる機能ブロックを含むように表されることが認識されるべきである。システム７００は、共同して作用することができる電気コンポーネントの論理グルーピング７０２を含む。たとえば、論理グルーピング７０２は、第１の識別子で符号化された第１のリンクを、第２の識別子で符号化された干渉基地局からの干渉する第２のリンクも受信するＵＥに送信するための電気コンポーネント７０４を含むことができる。さらに、論理グルーピング７０２は、ＵＥに第２の識別子を送信し、ノードでの受信信号から第１および第２のリンクのうちの一方を除去する能力を示す該ノードからのフィードバックを受信するための電気コンポーネント７０６を含むことができる。さらに、論理グルーピング７０２は、フィードバックに応答して第１および第２のリンクのうちの一方の信号対干渉雑音比（ＳＩＮＲ）の相対的変更のために送信に調整を行わせるための電気コンポーネントを含むことができ、該ノードは、第２のリンクを第２の識別子で復号し、第２のリンクを第２の識別子で再符号化し、受信信号から第２のリンクを除去し、チャネル推定７０８によって受信信号から第１のリンクを復号することによって、より高いＳＩＮＲで受信される時、第２のリンクの除去を行う。さらに、システム７００は、電気コンポーネント７０４−７０８に関連する機能を実行するための命令を保持するメモリ７１４を含むことができる。電気コンポーネント７０４−７０８の１つまたは複数は、メモリ７１４の外部にあるように示されているが、メモリ７１４内に存在することができることは理解されるべきである。
【００５２】
図８において、無線セル間干渉除去のための装置８０２が提供される。手段８０４は、第１のリンクを符号化するためにサービング基地局によって使用される第１の識別子にアクセスするために備えられる。手段８０６は、第２のリンクを符号化するために干渉基地局によって使用される第２の識別子にアクセスするために備えられる。手段８０８は、第１および第２のリンクを含む信号を受信するために備えられる。手段８１０は、第２のリンクを対応する識別子で推定し、受信信号から第２のリンクを除去することによって、第２のリンクを除去するために備えられる。手段８１２は、チャネル推定によって受信信号から第１のリンクを復号するために備えられる。
【００５３】
図９において、ネットワーク円滑化される無線セル間干渉除去のための装置９０２が提供される。手段９０４は、第２の識別子で符号化された干渉基地局からの干渉する第２のリンクも受信するノードに第１の識別子で符号化された第１のリンクを送信するために備えられる。手段９０６は、ノードでの受信信号から第１および第２のリンクのうちの一方を除去する能力を示す該ノードからのフィードバックを受信するために備えられる。手段９０８は、フィードバックに応答して第１および第２のリンクのうちの一方の信号対干渉雑音比（ＳＩＮＲ）の相対的変更のために送信に調整をおこなわせるために備えられ、該ノードは、第２のリンクを第２の識別子で復号し、第２のリンクを第２の識別子で再符号化し、受信信号から第２のリンクを除去し、チャネル推定によって受信信号から第１のリンクを復号することによって、より高いＳＩＮＲで受信される時、第２のリンクの除去を行う。
【００５４】
本明細書は本発明の特定の例を説明しているが、当業者は発明概念から逸脱することなく本発明の変形を考案することができる。たとえば、本明細書の教示は回線交換ネットワーク要素を言及しているが、パケット交換ドメインネットワーク要素に同様に適用可能である。
【００５５】
たとえば、上述の例示的な態様は、ある事例では送信ノードの役割をし、次に、別の事例では干渉ノードの役割を果たすことを交互に行うことができるノードで実施することができる。さらに、送信電力の低減要求に有利に応答するためにノードの受容力に関連して公平性を与えることができる。代替として、ノードは送信ノードおよび干渉ノードのうちの選択された一方として働くように単に設けることができる。
【００５６】
この出願で使用される「コンポーネント」、「モジュール」、「システム」などの用語は、これらに限定するものではないが、ハードウェア、ファームウェア、ハードウェアとソフトウェアとの組合せ、ソフトウェアまたは実行中のソフトウェアなどのコンピュータ関連エンティティを含むように意図される。たとえば、コンポーネントは、これに限定はしないが、プロセッサで実行しているプロセス、プロセッサ、オブジェクト、実行ファイル、実行スレッド、プログラム、および／またはコンピュータであり得る。例として、コンピューティングデバイス上で走っているアプリケーションおよびコンピューティングデバイスは共にコンポーネントであり得る。１つまたは複数のコンポーネントはプロセスおよび／または実行スレッド内に存在することができ、コンポーネントは１つのコンピュータに局在することができ、及び／または２つ以上のコンピュータ間に分散することができる。さらに、これらのコンポーネントは、様々なデータ構造が記憶されている様々なコンピュータ可読媒体から実行することができる。たとえば、局所システム、分散システム内の別のコンポーネントと相互作用する、および／またはインターネットなどのネットワークを介して信号によって他のシステムと相互作用するあるコンポーネントからのデータのような１つまたは複数のデータパケットを有する信号によって、コンポーネントは局所プロセスおよび／または遠隔プロセスを介して通信することができる。
【００５７】
さらに、様々な態様が、有線端末または無線端末でありえる端末に関連して本明細書で説明される。端末は、システム、デバイス、加入者ユニット、加入者局、移動局、移動体、移動体デバイス、遠隔局、遠隔端末、アクセス端末、ユーザ端末、端末、通信デバイス、ユーザエージェント、ユーザデバイス、またはユーザ装置（ＵＥ）と呼ぶこともできる。無線端末は、携帯電話、衛星電話、コードレス電話、ＳＩＰ（Session Initiation Protocol）電話、無線ローカルループ（ＷＬＬ）局、ＰＤＡ（personal digital assistance）、無線接続能力を有する携帯型デバイス、コンピューティングデバイス、または無線モデムに接続された他の処理デバイスであり得る。さらに、様々な態様が基地局に関連して本明細書で説明される。基地局は無線端末と通信するために利用することができ、アクセスポイント、Ｎｏｄｅ  Ｂ、または他の用語で呼ばれることもある。
【００５８】
さらに、「または（or）」という用語は、排他的な「または」ではなく包括的な「または」を意味するように意図される。すなわち、特に指示がない限り、または文脈から明確でない限り、「ＸがＡまたはＢを使用する」という句は、普通の包括的な組合せ（ｐｅｒｍｕｔａｔｉｏｎ）のいずれをも意味することを意図される。すなわち、「ＸはＡまたはＢを使用する」という句は、以下の例、すなわち、ＸがＡを使用する、ＸがＢを使用する、または、ＸがＡおよびＢの両方を使用する、のうちのいずれによっても満足される。さらに、この出願および添付の特許請求の範囲で使用される「１つの（ａ）」および「１つの（ａｎ）」という冠詞は、一般に、特に指示がない限り、または単数形を指示されていると文脈から明確でない限り「１つまたは複数の」を意味すると解釈されるべきである。
【００５９】
本明細書で説明された技法は、ＣＤＭＡ、ＴＤＭＡ、ＦＤＭＡ、ＯＦＤＭＡ、ＳＣ−ＦＤＭＡ、および他のシステムなどの様々な無線通信システムで使用することができる。「システム」および「ネットワーク」という用語はしばしば交換可能に使用される。ＣＤＭＡシステムは、ＵＴＲＡ（Universal Terrestrial Radio Access）、ｃｄｍａ２０００などのような無線技術を実施することができる。ＵＴＲＡは、広帯域ＣＤＭＡ（Ｗ−ＣＤＭＡ）およびＣＤＭＡの他の変形を含む。さらに、ｃｄｍａ２０００はＩＳ−２０００、ＩＳ−９５、およびＩＳ−８５６標準を包含する。ＴＤＭＡシステムはグローバル移動体通信システム（ＧＳＭ（登録商標））などの無線技術を実施することができる。ＯＦＤＭＡシステムは、進化型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭなどのような無線技術を実施することができる。ＵＴＲＡおよびＥ−ＵＴＲＡはＵＭＴＳ（Universal Mobile Telecommunication System）の一部である。３ＧＰＰロングタームエボリューション（ＬＴＥ）は、ダウンリンクでＯＦＤＭＡ、アップリンクでＳＣ−ＦＤＭＡを適用するＥ−ＵＴＲＡを使用するＵＭＴＳのリリースである。ＵＴＲＡ、Ｅ−ＵＴＲＡ、ＵＭＴＳ、ＬＴＥ、およびＧＳＭは、「第３世代移動体通信規格化プロジェクト」（３ＧＰＰ：3rd Generation Partnership Project）と名付けられた組織からの文書に説明されている。さらに、ｃｄｍａ２０００およびＵＭＢは、「第３世代移動体通信規格化プロジェクト２」（３ＧＰＰ２）と名付けられた組織からの文書に説明されている。さらに、そのような無線通信システムは、しばしばペアでないライセンスされていないスペクトラム、８０２．ｘｘ無線ＬＡＮ、ＢＬＵＥＴＯＯＴＨ（登録商標）、および任意の他の短距離または長距離無線通信技術を使用するピアツーピア（たとえば、モバイルツーモバイル）アドホックネットワークシステムを追加として含むことができる。
【００６０】
様々な態様または特徴は、いくつかのデバイス、コンポーネント、モジュールなどを含むことができるシステムに関して示されるであろう。様々なシステムは追加のデバイス、コンポーネント、モジュールなどを含むことができ、および／または図に関連して説明されたデバイス、コンポーネント、モジュールなどのすべてを含むとは限らないことが理解および認識されるべきである。これらのアプローチの組合せも使用することができる。
【００６１】
本明細書で開示された実施形態に関連して説明された様々な例示的な論理回路、論理ブロック、モジュール、および回路は、本明細書で説明された機能を行うように設計された汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別のゲートもしくはトランジスタ論理回路、個別のハードウェアコンポーネント、またはそれらの任意の組合せで実現または実行することができる。汎用プロセッサはマイクロプロセッサとすることができるが、代替では、プロセッサは任意の従来のプロセッサ、コントローラ、マイクロコントローラ、または状態機械とすることができる。プロセッサは、コンピューティングデバイスの組合せ、たとえばＤＳＰおよびマイクロプロセッサの組合せ、複数のマイクロプロセッサ、ＤＳＰコアに関連する１つまたは複数のマイクロプロセッサ、または任意の他のそのような構成として実施することもできる。さらに、少なくとも１つのプロセッサは、上述のステップおよび／または動作の１つまたは複数を行うように動作可能なモジュールを含むことができる
さらに、本明細書に開示された態様に関連して説明された方法またはアルゴリズムのステップおよび／または動作は、ハードウェアで、プロセッサによって実行されるソフトウェアモジュールで、または２つの組合せで直接具現することができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で既知の他の形態の記憶媒体に存在することができる。例示的な記憶媒体はプロセッサに結合することができ、その結果、プロセッサは記憶媒体から情報を読み取り、記憶媒体に情報を書き込むことができる。代替では、記憶媒体はプロセッサと一体化することができる。さらに、態様によっては、プロセッサおよび記憶媒体はＡＳＩＣに存在することができる。さらに、ＡＳＩＣはユーザ端末に存在することができる。代替では、プロセッサおよび記憶媒体はユーザ端末に個別のコンポーネントとして存在することができる。さらに、態様によっては、方法またはアルゴリズムのステップおよび／または動作は、コンピュータプログラム製品に組み込むことができる機械可読媒体および／またはコンピュータ可読媒体のコードおよび／または命令セットのうちの一方またはそれらの任意の組合せとして存在することができる。
【００６２】
１つまたは複数の態様では、説明した機能は、ハードウェア、ソフトウェア、ファームウェア、またはそれらの任意の組合せで実施することができる。ソフトウェアで実施される場合、機能は、コンピュータ可読媒体に１つまたは複数の命令またはコードとして記憶または送信されることができる。コンピュータ可読媒体は、ある場所から別の場所へのコンピュータプログラムの移送を容易にする任意の媒体を含めて、コンピュータ記憶装置媒体と通信媒体との両方を含む。記憶媒体は、コンピュータがアクセスできる任意の利用可能媒体とすることができる。限定ではなく例として、そのようなコンピュータ可読媒体は、ＲＡＭ、ＲＯＭ、ＥＥＰＲＯＭ、ＣＤ−ＲＯＭもしくは他の光ディスク記憶装置、磁気ディスク記憶装置もしくは他の磁気記憶デバイス、または所望のプログラムコードを命令またはデータ構造の形態で伝えるかまたは記憶するのに使用することができ、コンピュータがアクセスすることができる任意の他の媒体を含むことができる。さらに、任意の接続をコンピュータ可読媒体と呼ぶこともできる。たとえば、同軸ケーブル、光ファイバケーブル、撚り対線、デジタル加入者線（ＤＳＬ）、または赤外、高周波、およびマイクロ波などの無線技術を使用して、ソフトウェアがウェブサイト、サーバー、または他の遠隔ソースから送信される場合、同軸ケーブル、光ファイバケーブル、撚り対線、ＤＳＬ、または赤外、高周波、およびマイクロ波などの無線技術は媒体の定義に含まれる。本明細書で使用されるディスク（ｄｉｓｋ）およびディスク（ｄｉｓｃ）は、コンパクトディスク（ＣＤ）、レーザーディスク（登録商標）、光ディスク、デジタルバーサタイルディスク（ＤＶＤ）、フロッピー（登録商標）ディスク、およびブルーレイディスクを含み、ここで、ディスク（ｄｉｓｋ）は、通常、磁気的にデータを再生するが、ディスク（ｄｉｓｃ）は、通常、レーザで光学的にデータを再生する。上述のものの組合せもコンピュータ可読媒体の範囲に含まれるべきである。
【００６３】
前述の開示は例示的な態様および／または実施形態を説明しているが、添付の特許請求の範囲によって定義されるような記載の態様および／または実施形態の範囲から逸脱することなく、様々な変更および改変を本明細書で行うことができることに留意されたい。さらに、記載の態様および／または実施形態の要素は単数形で説明または請求されることがあるが、単数形への制限が明確に述べられない限り、複数形が意図されている。さらに、特に明示されない限り、任意の態様および／または実施形態のすべてまたは一部は、任意の他の態様および／または実施形態のすべてまたは一部と共に利用することができる。
以下に本件出願当初の特許請求の範囲に記載された発明を付記する。
［Ｃ１］無線セル間干渉除去の方法であって、
第１のリンクを符号化するためにサービング基地局によって使用される第１の識別子にアクセスすることと、
第２のリンクを符号化するために干渉基地局によって使用される第２の識別子にアクセスすることと、
前記第１および第２のリンクを含む信号を受信することと、
前記第２のリンクを前記対応する識別子で推定し、前記受信信号から前記第２のリンクを除去することにより、前記第２のリンクを除去することと、
チャネル推定により前記受信信号から前記第１のリンクを復号することと、
を含む方法。
［Ｃ２］前記第２のリンクを前記第２の識別子で復号し、前記第２のリンクを前記対応する識別子で再符号化することにより、前記第２のリンクを推定すること、
をさらに含む［Ｃ１］に記載の方法。
［Ｃ３］前記送信された変調シンボルのソフト推定により、前記第２のリンクを推定することをさらに含む、［Ｃ１］に記載の方法。
［Ｃ４］前記送信された変調シンボルの反復推定により、前記第２のリンクを推定することをさらに含む、［Ｃ１］に記載の方法。
［Ｃ５］他のリンクを復号するためにより高い電力で受信される前記リンクを除去することをさらに含む、［Ｃ１］に記載の方法。
［Ｃ６］前記第２のリンクのパイロット干渉を除去すること、をさらに含む、［Ｃ１］に記載の方法。
［Ｃ７］前記サービング基地局へ受信信号フィードバックを供給することと、
前記供給された受信信号フィードバックにより少なくとも一部を制御された電力制御で前記干渉基地からのパイロットを受信することと、
をさらに含む、［Ｃ１］に記載の方法。
［Ｃ８］専用パイロットを受信すること、をさらに含む［Ｃ７］に記載の方法。
［Ｃ９］前記第２のリンクの制御チャネル干渉を除去すること、をさらに含む［Ｃ１］に記載の方法。
［Ｃ１０］対象とされたユーザ装置（ＵＥ）の媒体アクセス制御（ＭＡＣ）識別子でスクランブルされた前記受信信号中の選択されたユニキャスト制御チャネルを受信することと、
前記ＭＡＣ識別子にアクセスすることと、
前記ＭＡＣ識別子を使用して前記制御チャネルを除去することと、
をさらに含む、［Ｃ９］に記載の方法。
［Ｃ１１］同じ物理層リソースを占める両方の基地局からの制御チャネルに応じて１つの制御チャネルを除去することをさらに含む、［Ｃ９］に記載の方法。
［Ｃ１２］前記干渉基地局からの物理ダウンリンク制御チャネル（ＰＤＣＣＨ）よりも増加された信号対干渉雑音比のために符号化された前記サービング基地局からのＰＤＣＣＨを低送信レートで受信することをさらに含む、［Ｃ９］に記載の方法。
［Ｃ１３］前記サービング基地局と前記干渉基地局のうちの一方であって、他方の基地局による干渉に関するフィードバックに応答して電力が増加された基地局から、物理ダウンリンク制御チャネル（ＰＤＣＣＨ）を受信することをさらに含む、［Ｃ９］に記載の方法。
［Ｃ１４］前記第２のリンクのトラヒックチャネル干渉を除去すること、をさらに含む［Ｃ１］に記載の方法。
［Ｃ１５］対象とされたユーザ装置（ＵＥ）の媒体アクセス制御（ＭＡＣ）識別子でスクランブルされた前記受信信号中の前記干渉基地局からの選択されたユニキャスト制御チャネルを受信することと、
前記ＭＡＣ識別子にアクセスすることと、
前記トラヒックチャネル干渉を除去する際に前記第２のリンクのトラヒックチャネル割当てを得るために、前記ＭＡＣ識別子を使用して前記制御チャネルを復号することと、をさらに含む［Ｃ１４］に記載の方法。
［Ｃ１６］前記第１のリンクのチャネル品質を前記サービング基地局に報告することと、
前記第２のリンクのチャネル品質と復号されたダウンリンク肯定応答割当てとを前記サービング基地局に報告することと、
前記トラヒックチャネル干渉の事前除去なしに復号を可能にする信号対干渉雑音比の増加について調整された送信レートで前記第１のリンクのトラヒックチャネルを受信することと、
をさらに含む、［Ｃ１４］に記載の方法。
［Ｃ１７］前記第１のリンクのチャネル品質を前記サービング基地局に報告することと、
前記第２のリンクのチャネル品質と復号されたダウンリンク肯定応答割当てとを前記サービング基地局に報告することと、
改善された復号のための前記サービング基地局と前記干渉基地局との間のネゴシエーションに応答して調整された送信レートで、前記第１のリンクの前記トラヒックチャネルと前記第２のリンクの前記トラヒックチャネル干渉とのうちの少なくとも一方を受信することと、
前記送信レート調整の後、より高い信号対干渉雑音比を有する前記第１および第２のリンクのうちの選択された一方を最初に復号することと、
をさらに含む、［Ｃ１４］に記載の方法。
［Ｃ１８］無線セル間干渉除去のためのコンピュータプログラム製品であって、
コンピュータに、第１のリンクを符号化するためにサービング基地局によって使用される第１の識別子にアクセスさせる第１のコードセットと、
前記コンピュータに、第２のリンクを符号化するために干渉基地局によって使用される第２の識別子にアクセスさせる第２のコードセットと、
前記コンピュータに、前記第１および第２のリンクを含む信号を受信させる第３のコードセットと、
前記第２のリンクを前記対応する識別子で復号し、前記第２のリンクを前記対応する識別子で再符号化し、前記受信信号から前記第２のリンクを除去することにより、前記コンピュータに、前記第２のリンクを除去させる第４のコードセットと、
前記コンピュータに、チャネル推定によって前記受信信号から前記第１のリンクを復号させる第５のコードセットと、
を備えるコンピュータ可読記憶媒体を含むコンピュータプログラム製品。
［Ｃ１９］無線セル間干渉除去のための装置であって、
第１のリンクを符号化するためにサービング基地局により使用される第１の識別子にアクセスする手段と、
第２のリンクを符号化するために干渉基地局によって使用される第２の識別子にアクセスする手段と、
前記第１および第２のリンクを含む信号を受信する手段と、
前記第２のリンクを前記対応する識別子で復号し、前記第２のリンクを前記対応する識別子で再符号化し、前記受信信号から前記第２のリンクを除去することによって、前記第２のリンクを除去する手段と、
チャネル推定によって前記受信信号から前記第１のリンクを復号する手段と、
を備える装置。
［Ｃ２０］無線セル間干渉除去のための装置であって、
第１のリンクを符号化するためにサービング基地局で使用される第１の識別子にアクセスし、第２のリンクを符号化するために干渉基地局で使用される第２の識別子にアクセスするコンピューティングプラットフォームと、
前記第１および第２のリンクを含む信号を受信する受信機と、
を含み、
前記コンピューティングプラットフォームは、さらに、前記第２のリンクを前記対応する識別子で復号し、前記第２のリンクを前記対応する識別子で再符号化し、前記受信信号から前記第２のリンクを除去し、チャネル推定によって前記受信信号から前記第１のリンクを復号することによって、前記第２のリンクを除去する、装置。
［Ｃ２１］前記コンピューティングプラットフォームは、さらに、前記第２のリンクを前記第２の識別子で復号し、前記第２のリンクを前記対応する識別子で再符号化することによって、前記第２のリンクを推定する、［Ｃ２０］に記載の装置。
［Ｃ２２］前記コンピューティングプラットフォームは、さらに、送信された変調シンボルのソフト推定により前記第２のリンクを推定する、［Ｃ２０］に記載の装置。
［Ｃ２３］前記コンピューティングプラットフォームは、さらに、前記送信された変調シンボルの反復推定により前記第２のリンクを推定する、［Ｃ２０］に記載の装置。
［Ｃ２４］前記コンピューティングプラットフォームがさらに、他のリンクを復号するためにより高い電力で受信される前記リンクを除去するためのものである、［Ｃ２０］に記載の装置。
［Ｃ２５］前記コンピューティングプラットフォームは、さらに、前記第２のリンクのパイロット干渉を除去する、［Ｃ２０］に記載の装置。
［Ｃ２６］前記サービング基地局に受信信号フィードバックを与える送信機をさらに備え、
前記受信機は、さらに、前記与えられた受信信号フィードバックにより少なくとも一部が制御された電力制御で前記干渉基地局からのパイロットを受信する、
［Ｃ２０］に記載の装置。
［Ｃ２７］前記受信機は、さらに、専用パイロットを受信する、［Ｃ２６］に記載の装置。
［Ｃ２８］前記コンピューティングプラットフォームは、さらに、前記第２のリンクの制御チャネル干渉を除去する、［Ｃ２０］に記載の装置。
［Ｃ２９］前記受信機は、さらに、対象とされたユーザ装置（ＵＥ）の媒体アクセス制御（ＭＡＣ）識別子でスクランブルされた前記受信信号中の選択されたユニキャスト制御チャネルを受信し、
前記コンピューティングプラットフォームは、さらに、前記ＭＡＣ識別子にアクセスし、前記ＭＡＣ識別子を使用して前記制御チャネルを除去する、
［Ｃ２８］に記載の装置。
［Ｃ３０］前記コンピューティングプラットフォームは、さらに、同じ物理層リソースを占める両方の基地局からの制御チャネルに応じて１つの制御チャネルを除去する、［Ｃ２８］に記載の装置。
［Ｃ３１］前記受信機は、さらに、前記干渉基地局からの物理ダウンリンク制御チャネル（ＰＤＣＣＨ）よりも増加された信号対干渉雑音比のために符号化された前記サービング基地局からのＰＤＣＣＨを低い送信レートで受信する、［Ｃ２８］に記載の装置。
［Ｃ３２］前記受信機は、さらに、前記サービング基地局と前記干渉基地局のうちの一方であって、他方の基地局による干渉に関するフィードバックに応答して電力が増加された基地局から、物理ダウンリンク制御チャネル（ＰＤＣＣＨ）を受信する、［Ｃ２８］に記載の装置。
［Ｃ３３］前記コンピューティングプラットフォームは、さらに、前記第２のリンクのトラヒックチャネル干渉を除去する、［Ｃ２０］に記載の装置。
［Ｃ３４］前記受信機は、さらに、対象とされたユーザ装置（ＵＥ）の媒体アクセス制御（ＭＡＣ）識別子でスクランブルされた前記受信信号中の前記干渉基地局からの選択されたユニキャスト制御チャネルを受信し、
前記コンピューティングプラットフォームは、さらに、前記ＭＡＣ識別子にアクセスし、前記トラヒックチャネル干渉を除去する際に前記第２のリンクのトラヒックチャネル割当てを得るために前記ＭＡＣ識別子を使用して前記制御チャネルを復号する、［Ｃ３３］に記載の装置。
［Ｃ３５］前記第１のリンクのチャネル品質を前記サービング基地局に報告し、前記第２のリンクのチャネル品質と復号されたダウンリンク肯定応答割当てとを前記サービング基地局に報告する送信機をさらに含み、
前記受信機は、さらに、前記トラヒックチャネル干渉の事前除去なしに復号を可能にする信号対干渉雑音比の増加について調整された送信レートで前記第１のリンクのトラヒックチャネルを受信する、［Ｃ３３］に記載の装置。
［Ｃ３６］前記第１のリンクのチャネル品質を前記サービング基地局に報告し、前記第２のリンクのチャネル品質と復号されたダウンリンク肯定応答割当てとを前記サービング基地局に報告する送信機をさらに含み、
前記受信機は、さらに、改善された復号のための前記サービング基地局と前記干渉基地局との間のネゴシエーションに応答して調整された送信レートで、前記第１のリンクの前記トラヒックチャネルと前記第２のリンクの前記トラヒックチャネル干渉とのうちの少なくとも一方を受信し、
前記コンピューティングプラットフォームは、さらに、前記送信レート調整の後、より高い信号対干渉雑音比を有する前記第１および第２のリンクのうちの選択された一方を最初に復号する、［Ｃ３３］に記載の装置。
【図１】
0005296204.tif 000002
【図２】
0005296204.tif 000003
【図３】
0005296204.tif 000004
【図４】
0005296204.tif 000005
【図５】
0005296204.tif 000006
【図６】
0005296204.tif 000007
【図７】
0005296204.tif 000008
【図８】
0005296204.tif 000009
【図９】
0005296204.tif 000010